(57)【要約】【課題】光源を隠し、レンズにカットを施すことなく初期の機能を満足させることができ、すっきりした新しい見栄えのサイドマーカーを提供すること。【解決手段】ハウジング２とその開口部を覆うレンズ３によって画成される灯室４内にバルブ（光源）５を収容し、該バルブ５から出射される光を車両の外側方に向けて照射するサイドマーカー１において、前記ハウジング２に、前記バルブ５から車両の外側方に向かう直射光を遮蔽する遮蔽部２ａを形成するとともに、同ハウジング２の前記バルブ５よりも内側の立壁２Ｂを反射面とし、該反射面に配光制御用のカット７を施す。【選択図】図４
2014167857.tif 000002
【特許請求の範囲】
【請求項１】
ハウジングとその開口部を覆うレンズによって画成される灯室内に光源を収容し、該光源から出射される光を車両の外側方に向けて照射するサイドマーカーにおいて、
前記ハウジングに、前記光源から車両の外側方に向かう直射光を遮蔽する遮蔽部を形成するとともに、同ハウジングの前記光源よりも内側の立壁を反射面とし、該反射面に配光制御用のカットを施したことを特徴とするサイドマーカー。
【発明の詳細な説明】
【技術分野】
【０００１】
本発明は、光源から出射される光を車両の外側方に向けて照射するサイドマーカーに関するものである。
【背景技術】
【０００２】
車両の前後左右に設けられるサイドマーカー（側方灯）は、ハウジングとその開口部を覆うレンズによって画成される灯室内にバルブ等の光源を収容し、該光源から出射される光を車両の外側方に向けて照射する機能を果たすものである（例えば、特許文献１参照）。ここで、従来のサイドマーカーの例を図５及び図６にそれぞれ示す。
【０００３】
即ち、図５及び図６は従来のサイドマーカーの平断面図であり、これらのサイドマーカー１０１は、ハウジング１０２とその開口部を覆う透明なレンズ１０３によって画成される灯室１０４内に光源であるバルブ１０５を収容して構成されている。
【０００４】
ここで、図５に示すサイドマーカー１０１においては、バルブ１０５から車両外側方（図５の左方）に向かう直射光を遮る遮蔽部を無くすためにハウジング１０２の後壁１０２Ａの一部に平坦面１０２ｂを形成し、直射光を図示矢印方向に照射するようにしている。
【０００５】
又、図６に示すサイドマーカー１０１においては、バルブ１０５を側方から覆い隠す遮蔽部１０２ａをハウジング１０２の後壁１０２Ａに形成し、バルブ１０５からの光をレンズ１０２の内面に形成された配光用のカット１０７によって屈折させて図示矢印方向に照射するようにしている。
【先行技術文献】
【特許文献】
【０００６】
【特許文献１】特開２０１１−１９８７１４号公報
【発明の概要】
【発明が解決しようとする課題】
【０００７】
しかしながら、図５に示すサイドマーカー１０１においては、バルブ１０５が光の照射方向及び車両側方から見えてしまい、見栄えが悪いという問題がある。
【０００８】
又、図６に示すサイドマーカー１０１においては、光を屈折させるための配光用のカット１０７をレンズ１０３の内面に加工する必要があるという問題がある。
【０００９】
本発明は上記問題に鑑みてなされたもので、その目的とする処は、光源を隠し、レンズにカットを施すことなく所期の機能を満足させることができ、すっきりした新しい見栄えのサイドマーカーを提供することにある。
【課題を解決するための手段】
【００１０】
上記目的を達成するため、本発明は、ハウジングとその開口部を覆うレンズによって画成される灯室内に光源を収容し、該光源から出射される光を車両の外側方に向けて照射するサイドマーカーにおいて、前記ハウジングに、前記光源から車両の外側方に向かう直射光を遮蔽する遮蔽部を形成するとともに、同ハウジングの前記光源よりも内側の立壁を反射面とし、該反射面に配光制御用のカットを施したことを特徴とする。
【発明の効果】
【００１１】
本発明によれば、ハウジングに形成された遮蔽部によって光源が側方から覆い隠されるため、車両の側方から光源が見えることがなく、又、レンズにはレンズカットが施されていないため、当該サイドマーカーの見栄えが悪化することがなく、すっきりした新しい見栄えとすることができる。又、光源から出射する光は、ハウジングの立壁に施された配光制御用のカットによって屈折して所望の方向へと照射されるため、レンズにカットを施すことなくサイドマーカーに所期の機能を満足させることができる。
【図面の簡単な説明】
【００１２】
【図１】本発明に係るサイドマーカーの斜視図である。
【図２】本発明に係るサイドマーカーの正面図である。
【図３】本発明に係るサイドマーカーの側面図である。
【図４】図２のＡ−Ａ線断面図である。
【図５】従来例１に係るサイドマーカーの平断面図である。
【図６】従来例２に係るサイドマーカーの平断面図である。
【発明を実施するための形態】
【００１３】
以下に本発明の実施の形態を添付図面に基づいて説明する。
【００１４】
図１は本発明に係るサイドマーカーの斜視図、図２は同サイドマーカーの正面図、図３は同サイドマーカーの側面図、図４は図２のＡ−Ａ線断面図である。
【００１５】
本発明に係るサイドマーカー１は、図４に示すように、ハウジング２とその開口部を覆うレンズ３によって画成される灯室４内に光源であるバルブ５を収容して構成されている。ここで、ハウジング２は、光不透過性樹脂によって一体成形されており、その開口部を覆うレンズ３は、光透過性の透明樹脂によって一体成形されている。又、ハウジング２の後壁２Ａには前記バルブ５がソケット６の差し込みによって取り付け保持されている。そして、本実施の形態では、ハウジング２の後壁２Ａの内面には、バルブ５から車両の外側方に向かう直射光を遮蔽する突起状の遮蔽部２ａが一体に突設されている。
【００１６】
而して、本実施の形態においては、ハウジング２のバルブ５よりも内側（車幅方向内側）の立壁２Ｂはアルミ蒸着の反射処理が施されることによって反射面を構成しており、この反射面の図１及び図３に示す矩形のエリアには配光制御用のカット７が施されている。尚、本実施の形態においては、レンズ３には配光用のカットは施されていない。
【００１７】
以上のように構成されたサイドマーカー１においては、ハウジング２に形成された遮蔽部２ａによってバルブ５が側方から覆い隠されるため、車両の側方からバルブ５が見えることがなく、又、レンズ３には配光用のカットが施されていないため、当該サイドマーカー１の見栄えが悪化することがなく、すっきりした新しい見栄えとすることができる。
【００１８】
そして、バルブ５が点灯（点滅）すると、その光は、図４に示すように、ハウジング２の立壁２Ｂに施された配光制御用のカット７によって屈折して車両外側方へと照射されるため、レンズ３にカットを施すことなくサイドマーカー１に所期の機能を満足させることができる。
【符号の説明】
【００１９】
１      サイドマーカー
２      ハウジング
２Ａ    ハウジングの後壁
２Ｂ    ハウジングの立壁
２ａ    ハウジングの遮蔽部
３      レンズ
４      灯室
５      バルブ（光源）
６      ソケット
７      配光制御用のカット
【図１】
2014167857.tif 000003
【図２】
2014167857.tif 000004
【図３】
2014167857.tif 000005
【図４】
2014167857.tif 000006
【図５】
2014167857.tif 000007
【図６】
2014167857.tif 000008